(57)【要約】 【課題】  ゴミ箱の設置が大がかりでなく且つ高コストにならず、また、如何なる路面条件であったとしても転倒することなく見栄え良く設置でき、更に、既設の自動販売機にも比較的簡単に設置できる自動販売機へのゴミ箱の取付構造を提供すること。【解決手段】  前面開放部を有する箱部８ａと前記開放部を開閉自在に閉じる扉部８ｂとから成る自動販売機８の側面に、ゴミ箱９を取り付けるための構造であって、箱部８ａを構成する後壁８１の外面から側壁８０の外面に渡って配置される第１部材１と、箱部８ａを構成する側壁８０の内面、前面、外面に渡って配置される第２部材２とを備え、第１部材１と第２部材２の前記側壁８０の外面に配置される部分相互をネジＮで止めてあると共に、第２部材２の前記内面側に配置される部分を箱部にクランプ２４で止めてあり、前記第１部材１又は／及び第２部材２に保持手段Ｈを介してゴミ箱９を取り付けてある。【選択図面】  図１
2006011609.tif 000002
【特許請求の範囲】
【請求項１】
前面開放部を有する箱部と前記開放部を開閉自在に閉じる扉部とから成る自動販売機の側方に、ゴミ箱を取り付けるための構造であって、箱部を構成する後壁の外面から側壁の外面に渡って配置される第１部材と、箱部を構成する側壁の内面、前面、外面に渡って配置される第２部材とを備え、第１部材と第２部材の前記側壁の外面に配置される部分相互をネジ止めすると共に、第２部材の前記内面側に配置される部分を箱部にクランプ止めしてあり、前記第１部材又は／及び第２部材に保持手段を介してゴミ箱を取り付けてあることを特徴とする自動販売機へのゴミ箱の取付構造。
【請求項２】
前面開放部を有する箱部と前記開放部を開閉自在に閉じる扉部とから成る自動販売機の側方に、ゴミ箱を取り付けるための構造であって、箱部を構成する一方の側壁の外面から上壁の外面に渡って配置される第１部材と、箱部を構成する他方の側壁の外面から上壁の外面に渡って配置される第２部材とを備え、第１・第２部材の両側壁の外面に配置される部分で自動販売機の両側壁の外面相互を挟持させる態様で、第１・第２部材相互をネジ止めすると共に、前記第１部材又は第２部材に設けた保持手段を介してゴミ箱を取り付けてあることを特徴とする自動販売機へのゴミ箱の取付構造。
【請求項３】
前面開放部を有する箱部と前記開放部を開閉自在に閉じる扉部とから成る自動販売機の側方に、ゴミ箱を取り付けるための構造であって、箱部を構成する上壁の外面から側壁の外面に渡って配置される第１部材と、箱部を構成する下壁の外面から側壁の外面に渡って配置される第２部材とを備え、第１・第２部材の上・下壁の外面に配置される部分で自動販売機の上・下壁の外面相互を挟持させる態様で、第１・第２部材相互をネジ止めすると共に、前記第１部材又／及び第２部材に設けた保持手段を介してゴミ箱を取り付けてあることを特徴とする自動販売機へのゴミ箱の取付構造。
【請求項４】
保持手段は、ゴミ箱を磁力により保持するものであることを特徴とする請求項１乃至３のいずれかに記載の自動販売機へのゴミ箱の取付構造。
【請求項５】
保持手段は、ゴミ箱を吊り下げるものであることを特徴とする請求項１乃至３のいずれかに記載の自動販売機へのゴミ箱の取付構造。
【請求項６】
保持手段は、ゴミ箱の水平方向の移動を規制するものであることを特徴とする請求項１乃至３のいずれかに記載の自動販売機へのゴミ箱の取付構造。
【発明の詳細な説明】
【技術分野】
【０００１】
この発明は、清涼飲料水、酒類、お菓子等の自動販売機に関し、特に自動販売機へのゴミ箱の取付構造に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既設の自動販売機に新たにゴミ箱を不用意に転倒しないように取り付けることは困難であり、たとえできたとしても見栄えが悪いものにならざるを得なかった。
【０００６】
したがって、自動販売機を取り扱う業界では、ゴミ箱の設置が大がかりでなく且つ、高コストにならず、また、如何なる路面条件であったとしても転倒することなく設置でき、更に、既設の自動販売機にも比較的簡単に設置できる自動販売機へのゴミ箱の取付構造が開発されることを待ち望んでいる。
【特許文献１】特開２００１−１０７５８７号
【発明の開示】
【発明が解決しようとする課題】
【０００７】
そこでこの発明では、ゴミ箱の設置が大がかりでなく且つ高コストにならず、また、如何なる路面条件であったとしても転倒することなく見栄え良く設置でき、更に、既設の自動販売機にも比較的簡単に設置できる自動販売機へのゴミ箱の取付構造を提供することを課題とする。
【課題を解決するための手段】
【０００８】
（請求項１記載の発明）
この発明は、前面開放部を有する箱部と前記開放部を開閉自在に閉じる扉部とから成る自動販売機の側方に、ゴミ箱を取り付けるための構造であって、箱部を構成する後壁の外面から側壁の外面に渡って配置される第１部材と、箱部を構成する側壁の内面、前面、外面に渡って配置される第２部材とを備え、第１部材と第２部材の前記側壁の外面に配置される部分相互をネジ止めすると共に、第２部材の前記内面側に配置される部分を箱部にクランプ止めしてあり、前記第１部材又は／及び第２部材に保持手段を介してゴミ箱を取り付けてある。
（請求項２記載の発明）
この発明は、前面開放部を有する箱部と前記開放部を開閉自在に閉じる扉部とから成る自動販売機の側方に、ゴミ箱を取り付けるための構造であって、箱部を構成する一方の側壁の外面から上壁の外面に渡って配置される第１部材と、箱部を構成する他方の側壁の外面から上壁の外面に渡って配置される第２部材とを備え、第１・第２部材の両側壁の外面に配置される部分で自動販売機の両側壁の外面相互を挟持させる態様で、第１・第２部材相互をネジ止めすると共に、前記第１部材又は第２部材に設けた保持手段を介してゴミ箱を取り付けてある。
（請求項３記載の発明）
この発明は、前面開放部を有する箱部と前記開放部を開閉自在に閉じる扉部とから成る自動販売機の側方に、ゴミ箱を取り付けるための構造であって、箱部を構成する上壁の外面から側壁の外面に渡って配置される第１部材と、箱部を構成する下壁の外面から側壁の外面に渡って配置される第２部材とを備え、第１・第２部材の上・下壁の外面に配置される部分で自動販売機の上・下壁の外面相互を挟持させる態様で、第１・第２部材相互をネジ止めすると共に、前記第１部材又／及び第２部材に設けた保持手段を介してゴミ箱を取り付けてあることを特徴とする自動販売機へのゴミ箱の取付構造。
（請求項４記載の発明）
この発明は、上記請求項１乃至３のいずれかに記載の発明に関し、保持手段は、ゴミ箱を磁力により保持するものである。
（請求項５記載の発明）
この発明は、上記請求項１乃至３のいずれかに記載の発明に関し、保持手段は、ゴミ箱を吊り下げるものである。
（請求項６記載の発明）
この発明は、上記請求項１乃至３のいずれかに記載の発明に関し、保持手段は、ゴミ箱の水平方向の移動を規制するものである。
【発明の効果】
【０００９】
この発明の自動販売機へのゴミ箱の取付構造によると、ゴミ箱の設置が大がかりでなく且つ高コストにならず、また、如何なる路面条件であったとしても転倒することなく簡単に設置でき、更に、既設の自動販売機にも比較的簡単に設置できる。
【発明を実施するための最良の形態】
【００１０】
以下にこの発明の自動販売機へのゴミ箱の取付構造を実施するための最良の形態としての実施例について詳細に説明する。
【実施例１】
【００１１】
図１はこの発明の実施例１の自動販売機８の側面に取付られた第１・第２部材１，２と、これに保持されるゴミ箱９の斜視図、図２は前記第１・第２部材１，２の斜視図、図３は前記第１・第２部材１，２の分解斜視図、図４は自動販売機８の側面に第１・第２部材１，２が取り付けられた状態の縦断面図、図５は自動販売機８の側面にゴミ箱９を取り付けた状態を示す一部断面の正面図、図６は自動販売機８の側面にゴミ箱９を取り付けた状態を示す側面図を示している。
（自動販売機８について）
自動販売機８は、基本的には図１、図２や図１１に示すように前面開放部を有する箱部８ａと、前記箱体８ａの前面開放部を開閉自在に閉じる扉部８ｂとから構成されており、前記箱部８ａの側壁８０，８０と、後壁８１と、下壁８２と、上壁８３とから構成されている。
（ゴミ箱９について）
ゴミ箱９は、図１に示すように、上部開放のゴミ箱本体９０に、投入孔ｈ（空き缶やペットボトル等のゴミを投入するための孔）を有する蓋部９１を被せるようにして成るものであり、前記ゴミ箱本体９０の側面上部には磁化された第２磁性シート１２（ゴム材に磁石粉を混入させシート状にしたもの）を貼り付けてある。
（自動販売機８の側面にゴミ箱９を取り付けるため基本的構成について）
この実施例では、図１や図４に示すように、箱部８ａを構成する後壁８１の外面から側壁８０の外面に渡って配置される第１部材１と、箱部８ａを構成する側壁８０に嵌め込まれる第２部材２とを備え、第１部材１と第２部材２における側壁８０の外面に配置される部分相互をネジ止めすると共に、側壁８０の内面に配置される第２部材２の部分を箱部８ａにクランプ止めしてある。ここで、前記第１部材１には、図１に示すように、保持手段Ｈを介してゴミ箱９を取り付けてある。
【００１２】
第１部材１は、図２〜図４に示すように、側壁８０の外面に対面配置される長片板１ａと、後壁８１の外面に対面配置される短片板１ｂとから成る断面Ｌ字状に形成されており、前記長片板１ａの端部付近には二つの雌ネジ１１が形成されている。また、この第１部材１の長片板１ａには、図２〜図４に示すように保持手段Ｈを構成する第１磁性シート１０を貼り付けてある。
【００１３】
第２部材２は、図２〜図４に示すように、背部２０と二枚の歯部２１，２２とから構成されており、一方の歯部２１には二つの横に長い長孔２３が形成され、他方の歯部２２にはクランプ２４を設けてある。なお、上記クランプ２４は、図２〜図４に示すように、端部にカップ２４ｄが回転自在に取り付けられた雄ネジ２４ａを、歯部２２に形成されたネジ孔２４ｂに螺入して外側に突出させ、その突出部分の先端部に回転不能に蝶ナット２４ｃを取り付けて構成してある。
（第１・２部材１，２を自動販売機８の側面に取り付ける作業等について）
この第１・２部材１，２は以下のようにして自動販売機８の側面に取り付けられる。
(1) 第１部材１の雌ネジ１１と第２部材２の長孔２３とを対向させ、ネジＮを、長孔２３を介して雌ネジ１１に螺入する。この時点では、ネジＮをあまり強く締め付けないようにして第１・第２部材１，２の全長が長孔２３の範囲で伸縮できるようにしておく。
(2) 第２部材２を、歯部２１が側壁８０の外面と、歯部２２が側壁８０の内面と、背部２０が側壁８０の前面と、それぞれ対面する態様で、側壁８０に嵌め込む。この状態において、第１部材１の短片板１ｂを図２に示すように、後壁８１の外面と対面させる。
(3) クランプ２４を締め込んで、第２部材２を図５に示すように、側壁８０にしっかりと固定する。
(4) 短片板１ｂを後壁８１の外面に接触させ、その後上記ネジＮを締め付けると、第１・第２部材１，２を自動販売機８の側面に取り付ける作業は完了する。
(5) ここで、ゴミ箱９を第１・第２部材１，２に取り付けるには、第１部材１側の第１磁性シート１０に対してゴミ箱９側の第２磁性シート１２を接触させて磁着させるようにすればよい。図５や図６に、ゴミ箱９を第１部材１に取り付けた状態を示す。
（この自動販売機８へのゴミ箱９の取付構造が優れた点について）
上記（第１・２部材１，２を自動販売機８の側面に取り付ける作業等について）の欄に記載した内容からして、ゴミ箱９の設置が大がかりでなく且つ高コストにならず、また、如何なる路面条件であったとしても転倒することなく簡単に設置でき、更に、既設の自動販売機８にも比較的簡単に設置できる、ことが明らかである。このような効果は、以下の実施例等においても同様に奏するものである。
（その他）
上記実施の形態では、第１磁性シート１０は第１部材１側に貼り付けているが、これに限定されることなく、第２部材２側に第１磁性シート１０を貼り付けるようにしてもよい。要するにゴミ箱９が、第１部材１又は／及び第２部材２に磁力により取り付けばよいのである。
【実施例２】
【００１４】
図７はこの発明の実施例２の自動販売機８の側壁８０の外面に取付られた第１・２部材１，２とゴミ箱９の斜視図、図８は前記第１部材１にゴミ箱９が係止された一部断面の正面図を示している。
【００１５】
この実施例２の第１・２部材１，２は、基本的には上記実施例１と同じであるが、実施例１の支持主体Ｓには第１磁性シート１０を貼り付けてあるのに対して、この実施例２では断面Ｌ字型の突状の係止部１３を設けてある。他方、ゴミ箱９には第２磁性シート９３に変えてゴミ箱本体９０の上縁を折り返してできた凹状の被係止部９２を設けてある。
【００１６】
ここで、ゴミ箱９を係止部１３に取り付けるには、当該係止部１３に対してゴミ箱９側の被係止部９２を係止（突部を凹部に差し込む態様）させるようにすればよい。図８に、ゴミ箱９を第１部材１に取り付けた状態を示す。
「類似する構成について」
図９や図１０に示す構造では、第１部材１に側の係止部１３を壁面で形成した孔とし、他方、ゴミ箱本体９０側の被係止部９２を舌片で形成し、前記舌片を孔に差し込むようにして、自動販売機８の側面にゴミ箱９を取り付けている。
【実施例３】
【００１７】
図１２はこの発明の実施例３の自動販売機８の側面に取付られている第１・第２部材１，２に保持されたゴミ箱９の斜視図を示している。
【００１８】
この実施例３の構造では、図１２に示すように、箱部８ａを構成する一方の側壁８０の外面から上壁８３の外面に渡って配置される第１部材１と、箱部８ａを構成する他方の側壁８０の外面から上壁８３の外面に渡って配置される第２部材２とを備え、第１・第２部材１，２における両側壁８０，８０の外面に配置される部分で自動販売機８の両側壁８０，８０の外面相互を挟持させる態様で、第１・第２部材１，２相互をネジ止めする。そして、前記第２部材２には、図１２や図１３に示すように、延長片２５を介して枠板形状の保持手段Ｈを設け、この保持手段Ｈによりゴミ箱９を吊り下げるようにしている。
【００１９】
ここで、図１２に示すように、第１部材１の端縁にはボルト挿通孔を有した直立片１６を、第２部材２の端縁にはボルト挿通孔を有した直立片２６を、それぞれ設けてあり、直立片１６，２６のボルト挿通孔にボルトＢを挿通させた状態でナットＮ１をボルトＢにねじ込むことで、第１・２部材１，２相互が接近して自動販売機８に挟持力が作用するようになっている。なお、図１２に示す符号１７，２７は、弾性を有する磁化された磁性シートを示している。
【００２０】
この実施例３の構造は、上記のような構成であるから、第１・第２部材１，２が不用意に自動販売機８から外れてしまうようなことはない。
「類似する構成について」
上記実施の形態では、保持手段Ｈを枠板形状とし、これにゴミ箱９を吊り下げるものとしているが、これに限定されることなく、枠形状の保持手段Ｈにゴミ箱９の胴部を挿入させた状態（ゴミ箱の水平方向の移動を規制させた状態）で、当該ゴミ箱９の３底面が接地するものとしてもよい。以下の実施例例４も同様である。
【実施例４】
【００２１】
図１３はこの発明の実施例４の自動販売機８の側面に取付られている第１・第２部材１，２に保持されたゴミ箱９の斜視図を示している。
【００２２】
この実施例４の構造では、図１３に示すように、箱部８ａを構成する上壁８３の外面から側壁８０の外面に渡って配置される第１部材１と、箱部８ａを構成する下壁８２の外面から側壁８０の外面に渡って配置される第２部材２とを備えており、第１部材１の下端にゴミ箱を吊り下げる枠板１８を、第２部材２の上端にゴミ箱９の胴部が挿通される枠板２８を、それぞれ設けてある。そして、前記枠板１８，２８の四隅に設けたボルト挿通孔に上方からボルトＢを挿通させると共に枠板２８から突出したボルトＢ部分にナットＮ１をねじ込むことで、第１・２部材１，２相互が接近して自動販売機８に挟持力が作用するようになっている。なお、図１３に示す符号１７，２７は、弾性を有する磁化された磁性シートを示している。
【００２３】
この実施例４の構造は、上記のような構成であるから、第１・第２部材１，２が不用意に自動販売機８から外れてしまうようなことはない。
【図面の簡単な説明】
【００２４】
【図１】この発明の実施例１の自動販売機の側面に取付られた第１・第２部材と、これに保持持されるゴミ箱の斜視図。
【図２】前記第１・第２部材の斜視図。
【図３】前記第１・第２部材の分解斜視図
【図４】自動販売機の側面に第１・第２部材が取り付けられた状態の縦断面図。
【図５】自動販売機の側面にゴミ箱を取り付けた状態を示す一部断面の正面図。
【図６】自動販売機の側面にゴミ箱を取り付けた状態を示す側面図。
【図７】この発明の実施例２の自動販売機の側壁の外面に取付られた第１・２部材とゴミ箱の斜視図。
【図８】実施例２の第１部材にゴミ箱が係止された状態の一部断面の正面図。
【図９】実施例２に類似する形態の自動販売機の側面に取付られた第１・２部材とゴミ箱の斜視図。
【図１０】実施例２に類似する形態の第１・２部材にゴミ箱が係止された状態の一部断面の正面図。
【図１１】自動販売機の説明図。
【図１２】この発明の実施例３の自動販売機の側面に取付られている第１・第２部材に保持されたゴミ箱の斜視図。
【図１３】この発明の実施例４の自動販売機の側面に取付られている第１・第２部材に保持されたゴミ箱の斜視図。
【符号の説明】
【００２５】
Ｈ        保持手段
Ｎ        ネジ
１        第１部材
２        第２部材
２４      クランプ
８        自動販売機
８０      側壁
８１      後壁
８２      下壁
８３      上壁
９        ゴミ箱
【図１】
2006011609.tif 000003
【図２】
2006011609.tif 000004
【図３】
2006011609.tif 000005
【図４】
2006011609.tif 000006
【図５】
2006011609.tif 000007
【図６】
2006011609.tif 000008
【図７】
2006011609.tif 000009
【図８】
2006011609.tif 000010
【図９】
2006011609.tif 000011
【図１０】
2006011609.tif 000012
【図１１】
2006011609.tif 000013
【図１２】
2006011609.tif 000014
【図１３】
2006011609.tif 000015